(57)【特許請求の範囲】
【請求項１】
中空紐状物の外周面上に、長尺方向に連続して延長する０．３ｍｍ〜１．５ｍｍの高さを有する少なくとも１本の断面形状が丸形状の線状突起物が該突起物より細幅のネック部を介して一体に配設されて形成されており、該線状突起物はネック部から引き剥がし離脱可能に形成されていることを特徴とする網押え用紐状物。
【請求項２】
中空紐状物の外周面上に、長尺方向に連続して延長する０．３ｍｍ〜１．５ｍｍの高さを有する少なくとも２本の断面形状が丸形状の線状突起物が該突起物より細幅のネック部を介して一体に配設されて形成されており、該線状突起物はネック部から引き剥がし離脱可能に形成されており、該線状突起物間の中空紐状物の外周面上に少なくとも１本の断面形状が山形状のスジ溝状突起が長尺方向に連続して設けられていることを特徴とする網押え用紐状物。
【請求項３】
線状突起物が、３〜９本等間隔に配置されていることを特徴とする請求項１または２記載の網押え用紐状物。
【発明の詳細な説明】
【０００１】
【発明の属する技術分野】
本発明は、網戸用アルミサッシ枠等の窓枠に防虫網を張設する網押え用紐状物に関する。
【０００２】
【従来の技術】
網戸用アルミサッシ等の窓枠に防虫網を張設した網戸は、アルミサッシ枠に設けられた所定の幅を有する網固定用溝に、防虫網を、網押え用ゴム等の網押え用紐状物で押し込み網を固定し張設されている。
現在、網戸用アルミサッシの網固定用溝は、網戸の大きさやアルミサッシメーカー等により、溝幅が３．５ｍｍ、４．５ｍｍ、５．５ｍｍおよび６．８ｍｍの４種類があり、網押え用紐状物（通常、「網押え用ゴム」と呼ばれている）はそれぞれの溝幅に対応した太さのものが使用されている。また、この網押え用ゴムは中空紐状物の表面に複数本のスジ状溝が形成されている。網を網押え用ゴムにより網を固定用溝に押込み固定する場合網押え用ゴムの表面に設けられたスジ状溝により網と網押え用ゴムの摩擦抵抗によって網が擦り抜けるのが防止される。
【０００３】
【発明が解決しようとする課題】
防虫網が破損したり、穴が空いたりした場合新しい網に張替えを行なう場合に網押え用ゴムは該当する溝幅に対応する太さのものを使用することが必要であるが、アルミサッシの網固定用溝の溝幅は、上記のように種々あり、張替えを行なうアルミサッシ網戸枠によって溝幅が異なる場合があり、溝幅に対応する種々の太さの網押え用ゴムを用意することが必要であった。
【０００４】
本発明は、種々の太さの網押え用紐状物を用意することを必要とせず、1種類の網押え用紐状物で種々の溝幅に適用できる網押え用紐状物を提供するものである。
【０００５】
【課題を解決するための手段】
すなわち、本発明は、（１）中空紐状物の外周面上に、長尺方向に連続して延長する０．３ｍｍ〜１．５ｍｍの高さを有する少なくとも１本の断面形状が丸形状の線状突起物が該突起物より細幅のネック部を介して一体に配設されて形成されており、該線状突起物はネック部から引き剥がし離脱可能に形成されていることを特徴とする網押え用紐状物に関する。
【０００６】
また、本発明は、（２）中空紐状物の外周面上に、長尺方向に連続して延長する０．３ｍｍ〜１．５ｍｍの高さを有する少なくとも２本の断面形状が丸形状の線状突起物が該突起物より細幅のネック部を介して一体に配設されて形成されており、該線状突起物はネック部から引き剥がし離脱可能に形成されており、該線状突起物間の中空紐状物の外周面上に少なくとも１本の断面形状が山形状のスジ溝状突起が長尺方向に連続して設けられていることを特徴とする網押え用紐状物に関する。
【０００７】
また、（３）線状突起物が３〜９本等間隔に配置されていることを特徴とする上記（１）または（２）記載の網押え用紐状物に関する。
【００１０】
【発明の実施の形態】
本発明に係る網押え用紐状物（以下「網押え用ゴム」という）は、（１）中空紐状物の外周面上に、長尺方向に連続して延長する０．３ｍｍ〜１．５ｍｍの高さを有する少なくとも１本の断面形状が丸形状の線状突起物が該突起物より細幅のネック部を介して一体に配設されて形成されており、該線状突起物はネック部から引き剥がし離脱可能に形成されている網押え用ゴム、または、（２）中空紐状物の外周面上に、長尺方向に連続して延長する０．３ｍｍ〜１．５ｍｍの高さを有する少なくとも２本の断面形状が丸形状の線状突起物が該突起物より細幅のネック部を介して一体に配設されて形成されており、該線状突起物はネック部から引き剥がし離脱可能に形成されており、該線状突起物間の中空紐状物の外周面上に少なくとも１本の断面形状が山形状のスジ溝状突起が長尺方向に連続して設けられている網押え用ゴムである。
【００１１】
本発明に係る網押え用ゴムを、図面を参照して詳細に説明する。図１は本発明品の実施態様の一例を示す横断面図、図２は本発明品の別の実施態様の一例を示す横断面図をそれぞれ示す。図３は従来品の一例を示す横断面図を示す。
【００１２】
図１，図２において、１は中空紐状物、２は中空部、３は線状突起物を夫々示し、４はスジ溝状突起を示す。また、図３において、１１は中空紐状物、２２は中空部を夫々示し、５はスジ状突起を示す。
図１および図２に示されるように、本発明の網押え用ゴムは、中空紐状物の外周面上に、長尺方向に連続して延長する線状突起物３がネック部６を介して配設されている。図２に示す態様は線状突起物同士の間に少なくとも1本のスジ溝状突起４が長尺方向に連続して設けられた構造を有する。
図１，図２において線状突起物３はその横断面形状が丸形の形状のものが示されているが、本発明において該線状突起物３の横断面形状は、丸形の形状の他に種々の形状、例えば、菱形、逆三角形、逆台形、方形状等の角形状、釣鐘形状等のものとすることができる。
【００１３】
本発明の網押え用ゴムにおいては、線状突起物３はネック部６から容易に引き剥がし離脱することができるようになっており、使用に際してアルミサッシ枠に設けられた網固定用溝の溝幅に対応して、線状突起物３を適宜引き剥がして使用することができる利点を有する。したがって、中空紐状物１の外径を現在汎用されている溝幅の最小のものに略対応する外径とし、線状突起物３の高さを含めた網押え用ゴム全体の太さ（直径）を溝幅の最大溝幅に適応し得るに充分な太さに形成される。したがって、該線状突起物３は、その高さを、通常、０．３ｍｍ〜１．５ｍｍとし、好ましくは０．５ｍｍ〜０．７ｍｍとすることが望ましい。
【００１４】
また、該線状突起物３は中空紐状物１の外周面上に少なくとも１本設けられているが、２本以上設けることが好ましく、さらには、３本以上がより好ましく、５〜６本設けることが特に好ましい。線状突起物３の数は、線状突起物３に高さを含めた網押え用ゴム全体の太さが網固定用網溝の最大溝幅に対応するように、中空紐状物１の外径、線状突起物３の形状、大きさ（高さ）などにより決められるが、３〜９本が一般的に好ましい範囲である。図１に示した実施態様、すなわち、線状突起物３のみが中空紐状物１の外周面上に設けられた構造の態様においては、線状突起物３の高さは本発明において採用される高さのうち比較的高いものとすることが、網の押さえ止め機能、作用効果の点から好ましい。
【００１５】
図２に示した実施態様、すなわち、線状突起物３の間にスジ溝状突起４が形成されている構造において、スジ溝状突起４の形状はその横断面の形状が山形状であることが好ましい。このスジ溝状突起４の山の高さは、通常０．２mm〜１．０ｍｍ程度であることが望ましい。また、該スジ溝状突起４の数は、線状突起物３の本数に応じて適宜異なり、線状突起物３の本数が少ない場合には、線状突起物間に配設されるスジ溝状突起４の数は相対的に多く設けられる。このスジ溝状突起４は網を網固定用網溝に押込んだ場合、線状突起物３と共に網との摩擦抵抗をより高くし、網溝からの網の擦り抜けをより強固に防止する作用効果を有するので、図２に示した構造が好ましい態様である。
尚、図１に示した構造の場合には、線状突起物３をネック部６から引き剥がした際、残存したネック部が残りの線状突起物３と共に網溝に押込まれた網との摩擦抵抗を示すように作用するので、簡単に網溝から網が擦り抜けるようなことはない。
【００１６】
通常、網押え用ゴムは、網を網固定用網溝に押込む場合、捻られて中空部２が押潰された状態で網溝に押込まれる。本発明に係る網押え用ゴムは、ゴム、軟質合成樹脂、例えば軟質塩化ビニル等の柔らかく弾性を有する材質のものが一般に使用される。本発明に係る網押え用ゴムは、中空紐状物１それ自体およびその外周面上に設けられた線状突起物３は柔らかく弾性を有しており、ネック部６も同一材質であり柔らかく弾性を有しており線状突起物３はネック部６で容易に倒れるので、網溝に網を押込む作業が容易である。一方網溝に押し込められた後は、材質が示す弾性によって溝内部に網を押込む状態となるので線状突起物３は網目に押え込まれた状態となり網が網溝から擦り抜けるのを防止する作用を有し、網をしっかりと固定することができる。
【００１７】
本発明の網押えゴムは、押出し成形法により容易に成形することができる。すなわち、通常の押出成形機の先端に取り付けられた、線状突起物３形成用の溝を備えた中空環成形用ダイスから、例えば塩化ビニル系樹脂等の溶融物を紐状に押出すことにより成形することができる。また、中空環成形用ダイスの外周部成形部にスジ溝を設けることにより、中空紐状物１の外周面上にスジ溝状突起４を形成することができる。
【００１８】
【発明の効果】
本発明に係る網押え用ゴムは、上記したように中空紐状物１の外周面上に、長尺方向に連続した線状突起物３が配設された構造であり、該線状突起物３は中空紐状物１の外周面上から容易に引き剥がすことができるので、使用される網固定用溝幅に応じて、該線状突起物３を適宜除去し網固定用溝幅に適応する太さとして使用することができる。したがって、アルミサッシ枠に設けられた種々の大きさの網固定用溝の溝幅に、対応して各種の太さの網押え用ゴムを用意する必要がなく、１種類の網押え用ゴムで各種の溝幅に対応することができる利点を有する。
また、本発明に係る網押え用ゴムは、中空紐状物１の外周面上に、長尺方向に連続した線状突起物３の間に少なくとも１本のスジ溝状突起４が設けられており、網を網固定用網溝に押込んだ際、線状突起３とスジ溝状突起４が相互に作用し、網溝から網の擦り抜け防止をより強固にする作用効果を有する。
【図面の簡単な説明】
【図１】本発明の実施態様の一例を示す横断面図である。
【図２】本発明の別の実施態様の一例を示す横断面図である。
【図３】従来品の一例を示す横断面図である。
【符号の説明】
１・・中空紐状物
２・・中空部
３・・線状突起物
４・・スジ溝状突起
【図１】
0003785097.tif 000002
【図２】
0003785097.tif 000003
【図３】
0003785097.tif 000004